(57)【要約】【課題】電力量計の端子台に端子カバーを合わせるだけでネジの螺合位置を探すことなくその螺合を可能にすることにより、電力量計の端子台に端子カバーを短絡・感電事故なくネジ止め固定できるようにして、端子カバーの安全な取付作業を実現する固定作業補助具を提供すること。【解決手段】電力量計の端子台を覆う端子カバー１０３を雄ネジ１１２により該端子台にネジ止め固定する作業を行う際に用いる端子カバーの固定作業補助具１０であって、端子カバーの背面側凹形状１０３ｂ内に嵌まり込んで位置決めされる背面部１１と、この背面部に連設されて折部１３で折り返される延在部１２とを備えており、この背面部と延在部には端辺に開口するスリット１５、１６が形成されているとともにそのスリットの端部には端子カバーに対して雄ネジを直角の姿勢に矯正して保持する保持穴１５ｂ、１６ｂが形成されている。【選択図】図６
2007157549.tif 000002
【特許請求の範囲】
【請求項１】
電力量計の端子台を覆う端子カバーを該端子台にネジ止め固定する作業を行う際に用いる端子カバーの固定作業補助具であって、
端子カバーの背面側凹形状内に嵌まり込んで該端子カバーに対する相対的位置を位置決めされる位置決め部と、端子カバーを電力量計本体の端子台に固定する固定用ネジを保持して該端子カバーに対する該固定用ネジの相対的姿勢を一定に矯正する矯正部と、を備えており、
矯正部は、位置決め部に対する相対的姿勢が一定になるように該位置決め部に連設されていることを特徴とする端子カバーの固定作業補助具。
【請求項２】
前記矯正部は、端子カバーの貫通穴に挿通されて回転自在に支持されている固定用ネジの該端子カバーの表面側および背面側の双方を支持することにより、位置決め部に対する相対的姿勢を一定に矯正することを特徴とする請求項１に記載の端子カバーの固定作業補助具。
【請求項３】
前記矯正部は、板状部材により構成されて、固定用ネジの軸部を一方向から進入可能なスリットと、該スリットの一部に形成されて固定用ネジの軸部を保持する保持部と、により構成されていることを特徴とする請求項１または２に記載の端子カバーの固定作業補助具。
【請求項４】
前記位置決め部は、端子カバーの背面側凹形状内に嵌め込み可能な寸法に作製された板状部材により構成されており、
前記矯正部は、該位置決め部の背面側板状部材と、該背面側板状部材に連設されて端子カバーの表面側の固定用ネジの配設位置に対面するように作製された表面側板状部材と、の双方に配設されることにより、端子カバーの表裏側で固定用ネジを保持して当該位置決め部に対する相対的姿勢を一定に矯正することを特徴とする請求項３に記載の端子カバーの固定作業補助具。
【請求項５】
前記矯正部は、互いに離隔しようとしつつ対面する２枚以上の表面側板状部材を有することを特徴とする請求項４に記載の端子カバーの固定作業補助具。
【請求項６】
前記位置決め部と矯正部の連設箇所が把持可能に形成されていることを特徴とする請求項１から５のいずれかに記載の端子カバーの固定作業補助具。
【発明の詳細な説明】
【技術分野】
【０００１】
本発明は、端子カバーの固定作業補助具に関し、詳しくは、電力量計の端子台に端子カバーを固定する作業を事故なく行うことのできるものに関する。
【背景技術】
【０００２】
従来より、商用電源から電力供給を受けて機器装置（負荷装置）を稼動させる場合には、その電源線との間に電力量計を介在させて消費した電力に応じて課金することが行われている。
【０００３】
このような電力量計は、商用電源からの電源線を入力電線として接続するとともに各種機器に電力供給する出力電線を接続する端子台を備えており、この端子台には、電線を導通接続させるための金属端子が露出しているので、不用意に触れてしまわないように覆う端子カバーが着脱可能に固定されている（例えば、特許文献１〜４参照）。
【特許文献１】特開２００４−２２６１１９号公報
【特許文献２】特開２００２−２６７６８９号公報
【特許文献３】特開２００１−２５５３４１号公報
【特許文献４】特開平１１−１５３６２１号公報
【発明の開示】
【発明が解決しようとする課題】
【０００４】
しかしながら、このような従来の電力量計の端子カバーにあっては、一般的に、端子台に配設されている雌ネジ穴に雄ネジを螺合させてネジ止め固定するようになっており、この雄ネジは、ヘッド部にドライバを係合させたり手で把持するなどして螺合回転させることができるように大径に設定されているとともに、ネジ部が軸部よりも外径を大きく設定されている。この寸法設定により、雄ネジは、端子カバーの貫通穴にその軸部を貫通させた状態のまま、ヘッド部とネジ部がその貫通穴の縁に突き当たって脱落しないようになっている。
【０００５】
このように設計されていることから、端子台から端子カバーを外した状態（雌ネジ穴に雄ネジを螺合させていない状態）では、雄ネジが自由に揺動可能である。このため、端子台に端子カバーを取り付ける際には、その雄ネジが螺合させる雌ネジ穴からずれると、電源線が接続されて隣接する金属端子に触れてしまう場合があり、短絡・感電事故の発生する恐れがある。
【０００６】
この短絡・感電事故を未然に防止しようとすると、多大な注意力が必要になって作業負担が過大になってしまうとともに、端子台の全体を視認しつつ作業を行うことのできない箇所に設置されている電力量計の場合には、その作業がより難しくなる。
【０００７】
そこで、本発明は、電力量計の端子台に端子カバーを合わせるだけでネジの螺合位置を探すことなくその螺合を可能にすることにより、電力量計の端子台に端子カバーを短絡・感電事故なくネジ止め固定できるようにして、端子カバーの安全な取付作業を実現する固定作業補助具を提供することを目的とする。
【課題を解決するための手段】
【０００８】
上記課題を解決する端子カバーの固定作業補助具の第１の発明は、電力量計の端子台を覆う端子カバーを該端子台にネジ止め固定する作業を行う際に用いる端子カバーの固定作業補助具であって、端子カバーの背面側凹形状内に嵌まり込んで該端子カバーに対する相対的位置を位置決めされる位置決め部と、端子カバーを電力量計本体の端子台に固定する固定用ネジを保持して該端子カバーに対する該固定用ネジの相対的姿勢を一定に矯正する矯正部と、を備えており、矯正部は、位置決め部に対する相対的姿勢が一定になるように該位置決め部に連設されていることを特徴とするものである。
【０００９】
この発明では、電力量計本体の端子台から外した端子カバーの背面側の凹形状内に位置決め部を嵌め込むことにより全体を位置決めした状態にすることができ、端子カバーの固定用ネジは、この位置決め部を介してその端子カバー自体に位置決めされつつ矯正部により相対的姿勢が一定に保持される。したがって、固定用ネジは、端子台側の螺合位置に位置決めしつつそのまま螺合可能に姿勢を矯正するように設定することにより、改めて螺合位置を探すことなく、そのまま端子台に螺合させることができる。
【００１０】
上記課題を解決する端子カバーの固定作業補助具の第２の発明は、上記第１の発明の特定事項に加え、前記矯正部は、端子カバーの貫通穴に挿通されて回転自在に支持されている固定用ネジの該端子カバーの表面側および背面側の双方を支持することにより、位置決め部に対する相対的姿勢を一定に矯正することを特徴とするものである。
【００１１】
この発明では、固定用ネジは、端子カバーの貫通穴の表面側および背面側の双方が支持されることによりその端子カバーに対して位置決めしつつ安定した姿勢に保持することができる。したがって、極端な強度の要求されない簡易な構成の矯正部により固定用ネジの２箇所を保持してその姿勢を矯正することができる。
【００１２】
上記課題を解決する端子カバーの固定作業補助具の第３の発明は、上記第１または第２の発明の特定事項に加え、前記矯正部は、板状部材により構成されて、固定用ネジの軸部を一方向から進入可能なスリットと、該スリットの一部に形成されて固定用ネジの軸部を保持する保持部と、により構成されていることを特徴とするものである。
【００１３】
この発明では、固定用ネジは、板状部材のスリット内に進入させてその一端部などの一部に形成された保持部内に嵌め込まれるなどして位置決め保持される。したがって、固定用ネジを簡易な構成で位置決め保持することができる。
【００１４】
上記課題を解決する端子カバーの固定作業補助具の第４の発明は、上記第３の発明の特定事項に加え、前記位置決め部は、端子カバーの背面側凹形状内に嵌め込み可能な寸法に作製された板状部材により構成されており、前記矯正部は、該位置決め部の背面側板状部材と、該背面側板状部材に連設されて端子カバーの表面側の固定用ネジの配設位置に対面するように作製された表面側板状部材と、の双方に配設されることにより、端子カバーの表裏側で固定用ネジを保持して当該位置決め部に対する相対的姿勢を一定に矯正することを特徴とするものである。
【００１５】
この発明では、固定用ネジは、端子カバーの背面側に嵌め込まれて位置決めされる背面側板状部材（位置決め部）と、この背面側板状部材に連設されてその端子カバーの表面側に位置決めされつつ対面する表面側板状部材とに形成されたスリット内の保持部内に嵌め込まれるなどして位置決め保持される。したがって、固定用ネジを端子カバーの表面側および背面側の双方で簡易に位置決め保持することができる。
【００１６】
上記課題を解決する端子カバーの固定作業補助具の第５の発明は、上記第４の発明の特定事項に加え、前記矯正部は、互いに離隔しようとしつつ対面する２枚以上の表面側板状部材を有することを特徴とするものである。
【００１７】
この発明では、固定用ネジは、ヘッド側と端子カバーの表面側との間で互いに対面して離隔する２枚以上の板状部材の矯正部が介装される。したがって、固定用ネジのヘッドを端子カバーの表面側から離隔させるように、言い換えると、端子台側の螺合位置から離隔するように固定用ネジを保持することができ、その固定用ネジのネジ部が不用意に隣接する部材に接触してしまうことを回避することができる。
【００１８】
上記課題を解決する端子カバーの固定作業補助具の第６の発明は、上記第１から第５のいずれかの発明の特定事項に加え、前記位置決め部と矯正部の連設箇所が把持可能に形成されていることを特徴とするものである。
【００１９】
この発明では、端子カバーに対して位置決めする位置決め部と、その端子カバーに対する固定用ネジの姿勢を矯正する矯正部との連設箇所を把持して取り扱うことができる。したがって、把持する箇所を特別に別途形成することなく簡易な構造で安価に作製することができる。
【発明の効果】
【００２０】
このように本発明によれば、電力量計本体の端子台に固定用ネジで取り付ける端子カバーの背面側凹形状内に位置決め部を嵌め込んで、その端子台側の螺合位置に対する固定用ネジの姿勢を一定に矯正することができるので、電力量計本体の端子台への取付位置に端子カバーを合わせるだけで、螺合位置を探すことなく固定用ネジをそのまま端子台に螺合させて固定する作業を開始することができる。したがって、電力量計の端子台に端子カバーを位置合わせするだけで、その端子カバーを短絡・感電事故なくネジ止め固定することができ、端子カバーの取付作業を安全に行い得るように補助することができる。
【発明を実施するための最良の形態】
【００２１】
以下、本発明の最良の実施形態を図面に基づいて説明する。図１〜図６は本発明に係る端子カバーの固定作業補助具の第１実施形態を示す図である。
【００２２】
図１において、固定作業補助具１０は、図２に示す電力量計１００の端子台１０２に端子カバー１０３を取り付ける作業を行う際に用いるものであり、絶縁性を有する樹脂材料により一枚の板状部材に作製されている。
【００２３】
ここで、電力量計１００は、例えば、各戸（各家庭）のブレーカの前段に設置されるものであり、使用された供給電力を積算（計測）する本体部１０１と、商用電源と各戸の負荷装置との間の電線の途中に本体部１０１が介在するようにその電線を接続する端子台１０２と、が配置されている。この電力量計１００は、作業者などが不用意に触れてしまわないように端子台１０２を端子カバー１０３が覆っており、この端子カバー１０３を外すことにより、図３に示すように、商用電源からの入力電線（電源線）を本体部１０１に導通接続するための金属端子１０６と、負荷装置側のブレーカへの出力電線（負荷電線）を本体部１０１に導通接続するための金属端子１０７と、を各種操作・作業を可能に露出させることができる。なお、この端子台１０２は、これら金属端子１０６、１０７を露出させることにより、電線を接断する作業や、テスターなどの測定機器を接続して供給電圧をチェックするなどの作業を行うことができる。
【００２４】
端子台１０２は、単相二線式用の電力量計１００の場合には、金属端子１０６、１０７の間に雌ネジ穴１１１が開口するように配設されており、この雌ネジ穴１１１に雄ネジ（固定用ネジ）１１２を螺合させることにより端子カバー１０３をネジ止めして取り付けるようになっている。すなわち、端子カバー１０３は、長さ方向の中央付近に開口する貫通穴１０３ａ（図４参照）に雄ネジ１１２を貫通させて雌ネジ穴１１１に螺合させることにより端子台１０２にネジ止め固定して取り付けるように設計されている。
【００２５】
雄ネジ１１２は、図４に示すように、ヘッド部１１２ａがドライバを係合させたり手で把持するなどして回転させることができるように大径に形成されているとともに、端子台１０２の雌ネジ穴１１１に螺合させるネジ部１１２ｂもヘッド部１１２ａとの間の軸部１１２ｃよりも外径を大きく形成されており、端子カバー１０３の貫通穴１０３ａにその軸部１１２ｃを貫通させた状態にすることにより、ヘッド部１１２ａとネジ部１１２ｂがその貫通穴１０３ａの縁に突き当たって脱落しないように寸法設計されている。なお、図４中の１０９は、端子台１０２側の金属端子１０６、１０７と端子カバー１０３との間の絶縁性を確保する樹脂板であり、この樹脂板１０９は端子カバー１０３の背面側で窪む凹形状１０３ｂ内に嵌め込まれている。
【００２６】
このため、この雄ネジ１１２は、雌ネジ穴１１１との螺合を解除して端子台１０２から端子カバー１０３を外した状態では、その端子カバー１０３に対して交差する姿勢のまま自由に揺動させることができる。また、この雄ネジ１１２は、端子台１０２に端子カバー１０３を取り付ける際には、その端子台１０２に対して端子カバー１０３を位置決めしつつ、ネジ部１１２ｂが雌ネジ穴１１１に一致するようにヘッド部１１２ａの位置を調整して揺動させることにより、その雌ネジ穴１１１への螺合位置に一致させて、金属端子１０６、１０７を含む全体を覆うように、端子カバー１０３を端子台１０２にネジ止め固定して取り付けることができる。
【００２７】
これに対して、固定作業補助具１０は、端子台１０２側の金属端子１０６、１０７に対面する端子カバー１０３の背面側凹形状１０３ｂと略同一寸法の長方形に形成されている背面部１１を備えており、この背面部１１を端子カバー１０３の背面側凹形状１０３ｂ内に嵌め込むことにより、その端子カバー１０３に対する相対的位置を位置決めすることができる。すなわち、この背面部１１が位置決め部の背面側板状部材を構成している。
【００２８】
この背面部１１には、中央付近の側辺１１ａ側に把持可能な程度の幅で同一平面内の離隔方向に延長される延在部１２が連設されているとともに、この延在部１２には、背面部１１から離隔して把持可能な長さを確保する箇所で折り返し可能な折部１３が配設されている。この延在部１２は、背面部１１が端子カバー１０３の背面側凹形状１０３ｂ内に嵌め込まれて折部１３で折り返された状態のときに（図５、図６を参照）、その背面部１１の反対側の側辺１１ｂ付近に端辺１２ａが位置するように設計されている。すなわち、この延在部１２は、背面部１１に連設されて端子カバー１０３の表面側の貫通穴１０３ａを隠すように対面する表面側板状部材を構成している。なお、折部１３は、例えば、樹脂製の板材である延在部１２の背面側に切り込みを入れることにより、容易に折り返すことができるように作製すればよい（図７（ｂ）参照）。
【００２９】
これらの背面部１１と延在部１２には、端子カバー１０３の背面側と表面側を挟み込む状態のときに隠すことになる貫通穴１０３ａに対応する箇所から、それぞれの端辺１１ｂ、１２ａまで延在して開口するスリット１５、１６が形成されており、このスリット１５、１６は、その貫通穴１０３ａに貫通させる雄ネジ１１２の軸部１１２ｃの直径よりも幅狭に設定されている。
【００３０】
また、このスリット１５、１６は、端辺１１ｂ、１２ａ側の端部にその雄ネジ１１２の軸部１１２ｃを内方に差込案内可能に拡開する案内部１５ａ、１６ａが形成されており、反対側の端部には、対応する位置に開口する貫通穴１０３ａに貫通する雄ネジ１１２の軸部１１２ｃの外面に各斜面が圧接して保持するように三角形状で開口する保持穴（保持部）１５ｂ、１６ｂが形成されている。
【００３１】
これにより、固定作業補助具１０は、背面部１１と延在部１２のスリット１５、１６の一端部に形成された保持穴１５ｂ、１６ｂにより雄ネジ１１２の姿勢を矯正する矯正部が構成されており、図５（ａ）〜図５（ｃ）に示すように、折部１３で折り返した延在部１２を把持しつつ（図５（ａ）参照）、背面部１１と延在部１２の間に端子カバー１０３を挟み込むように電力量計１００の下方から平面方向上方に移動させることにより（図５（ｂ）参照）、その背面部１１を端子カバー１０３の背面側凹形状１０３ｂ内に嵌め込んで位置決めさせるとともに、その端子カバー１０３の貫通穴１０３ａに貫通する雄ネジ１１２の軸部１１２ｃを背面部１１や延在部１２の端辺１１ｂ、１２ａに開口する案内部１５ａ、１６ａによりスリット１５、１６内に案内させて保持穴１５ｂ、１６ｂまで差し込んで保持させることができる（図５（ｃ）参照）。
【００３２】
この結果、固定作業補助具１０は、図６に示すように、端子カバー１０３の表裏側に位置させる背面部１１と延在部１２の保持穴１５ｂ、１６ｂの２箇所で、極端な強度を必要とすることなく、雄ネジ１１２の軸部１１２ｃを安定して保持することができ、その雄ネジ１１２の姿勢を端子カバー１０３に対して直交する鉛直姿勢になるように矯正することができる。
【００３３】
したがって、端子カバー１０３を固定作業補助具１０の背面部１１と延在部１２の間で挟み込んで端子台１０２に位置合わせするだけで、その端子カバー１０３の貫通穴１０３ａに貫通する雄ネジ１１２の姿勢を端子台１０２の雌ネジ穴１１１に対して鉛直に保持することができる。この雄ネジ１１２は、雌ネジ穴１１１の位置を探すために揺動させることなく、言い換えると、端子カバー１０３に対して斜めになって隣接する入力側の金属端子１０６などに接触させる恐れなく、そのまま延在部１２を変形させつつ鉛直方向に進めて回転させるだけで雌ネジ穴１１１との螺合を開始させることができる。なお、この固定作業補助具１０は、雄ネジ１１２を雌ネジ穴１１１への螺合を開始した後に（締め付ける前に）、下方に引き抜けばよい。
【００３４】
このように本実施形態においては、端子カバー１０３を背面部１１と延在部１２の間に挟み込むだけで雄ネジ１１２の姿勢を鉛直に矯正・保持することができ、その端子カバー１０３を端子台１０２に位置合わせするだけで、その雄ネジ１１２をそのまま雌ネジ穴１１１に螺合させて固定することができる。したがって、背面部１１と延在部１２からなる簡易な構造で安価に作製可能な固定作業補助具１０を準備することにより、端子カバー１０３を端子台１０２に取り付ける作業を短絡・感電事故がないように補助することができる。
【００３５】
次に、図７および図８は本発明に係る端子カバーの固定作業補助具の第２実施形態を示す図である。ここで、本実施形態は、上述実施形態と略同様に構成されているので、同様の構成には同一の符号を付して特徴部分を説明する（以下で説明する他の実施形態においても同様）。
【００３６】
図７および図８において、固定作業補助具２０は、背面部１１に連設されている延在部１２の先端側に、幅狭に形成された付勢部２２が重なるように配設されており、この付勢部２２は、延在部１２の端部側と略同一形状に作製されて、案内部２６ａおよび保持穴２６ｂを有するスリット２６が形成されている。
【００３７】
この付勢部２２は、端子カバー１０３との間に位置（介装）して対面するように、延在部１２にテープ２７が巻き付けられて固定されているとともに、その延在部１２との間に隙間部材２８を挟んで自然状態では離隔する方向に屈曲する姿勢になるように作製されている。
【００３８】
これにより、固定作業補助具２０は、背面部１１を端子カバー１０３の背面側凹形状１０３ｂ内に嵌め込んで位置決めするとともに、その端子カバー１０３の貫通穴１０３ａに貫通する雄ネジ１１２の軸部１１２ｃを、背面部１１や延在部１２の端辺１１ｂ、１２ａ、２２ａに開口する案内部１５ａ、１６ａによりスリット１５、１６内に案内させて保持穴１５ｂ、１６ｂで保持するのに加えて、付勢部２２の端辺２２ａに開口する案内部２６ａによりスリット２６内に案内させて保持穴２６ｂで保持することができる。したがって、図８に示すように、端子カバー１０３の表裏側に位置する背面部１１と延在部１２および付勢部２２の保持穴１５ｂ、１６ｂ、２６ｂの３箇所で雄ネジ１１２の軸部１１２ｃをより安定した状態で保持することができ、その雄ネジ１１２の姿勢を端子カバー１０３に対して鉛直になるように矯正することができる。
【００３９】
このときには、この固定作業補助具２０は、延在部１２に隙間部材２８を介して固設されている付勢部２２が端子カバー１０３の表面側を押すことにより、その延在部１２がその端子カバー１０３から離隔する方向に付勢されることになって、保持する雄ネジ１１２のヘッド部１１２ａを端子カバー１０３から離隔する方向に付勢することができる。したがって、延在部１２が付勢部２２の付勢により離隔することにより雄ネジ１１２を端子カバー１０３に対してより安定した鉛直姿勢に矯正・保持することができるとともに、自然状態では端子台１０２の雌ネジ穴１１１からネジ部１１２ｂを離隔させる状態に雄ネジ１１２を保持することができる。
【００４０】
このように本実施形態においては、上述実施形態による作用効果に加えて、端子カバー１０３と延在部１２との間に付勢部２２を配設することにより、雄ネジ１１２を端子カバー１０３に対する鉛直姿勢に安定して矯正・保持することができるとともに、端子台１０２の雌ネジ穴１１１からそのネジ部１１２ｂが離隔する状態に保持することができ、不用意に隣接する金属端子１０６、１０７に接触してしまうことなく、そのまま延在部１２などを変形させつつ鉛直方向に進めて回転させるだけで螺合を開始させることができる。したがって、端子カバー１０３を端子台１０２に取り付ける作業を、より信頼性高く短絡・感電事故を起こさないように補助することができる。
【００４１】
次に、図９〜図１２は本発明に係る端子カバーの固定作業補助具の第３実施形態を示す図である。
【００４２】
図９において、固定作業補助具３０は、単相三線式用の電力量計１００の端子台１０２に端子カバー１０３を取り付ける作業を行う際に用いるものであり、単相三線式用の電力量計１００の場合には、図１０および図１１に示すように、三線式であるために端子台１０２が幅広に設計されることにより金属端子１０６、１０７の両外側に雌ネジ穴１１１が配設されており、端子カバー１０３の両側方に形成された貫通穴１０３ａに軸部１１２ｃを貫通させた雄ネジ１１２のネジ部１１２ｂをその雌ネジ穴１１１に螺合させることにより端子カバー１０３をネジ止め固定して取り付けるようになっている。
【００４３】
これに対して、固定作業補助具３０は、端子カバー１０３の背面側凹形状１０３ｂ内に嵌め込んで位置する背面部１１の両側方の側辺１１ａ側のそれぞれに延在部１２が連設されており、背面部１１と延在部１２の端子カバー１０３の貫通穴１０３ａに対応する箇所には、それぞれの側辺１１ｂ、１２ａに案内部１５ａ、１６ａが開口するとともにその貫通穴１０３ａに一致するように保持穴１５ｂ、１６ｂが形成されている。
【００４４】
これにより、固定作業補助具３０は、図１２に示すように、上述第１実施形態と同様に、折部１３で折り返した延在部１２を把持しつつ、背面部１１と延在部１２の間に端子カバー１０３を挟み込むように電力量計１００の下方から平面方向上方に移動させることにより、その背面部１１を背面側凹形状１０３ｂ内に嵌め込んで位置決めするとともに、その端子カバー１０３の貫通穴１０３ａに貫通する雄ネジ１１２を背面部１１や延在部１２のスリット１５、１６端部の保持穴１５ｂ、１６ｂに保持させることができ、その雄ネジ１１２を端子カバー１０３に対して鉛直姿勢になるように矯正して保持することができる。
【００４５】
このように本実施形態においては、上述第１実施形態と同様に、単相三線式用の電力量計１００でも、背面部１１に一対の延在部１２を連設するだけの簡易な構造で安価に作製可能な固定作業補助具３０を準備することにより、その背面部１１と延在部１２の間に端子カバー１０３を挟み込むだけで雄ネジ１１２を鉛直姿勢に矯正して保持することができ、その端子カバー１０３を端子台１０２に位置合わせするだけで、その雄ネジ１１２をそのまま雌ネジ穴１１１に螺合させてネジ止め固定することができる。したがって、単相三線式用の電力量計１００でも、端子カバー１０３を端子台１０２に取り付ける作業を短絡・感電事故がないように補助することができる。
【００４６】
ここで、本実施形態では、延在部１２に付勢部２２を固設しない場合を説明するが、第２実施形態と同様に、延在部１２のそれぞれに付勢部２２を配設しても良いことは言うまでもない。
【００４７】
また、本実施形態では、背面部１１にそのまま一対の延在部１２を連設する場合を一例に説明するが、これに限るものではなく、例えば、図１３に示すように、延在部１２の間を空間にすることなく連続する延在部４２とするとともに、端子カバー１０３の背面側凹形状１０３ｂ内に嵌り込むようにリブ４３を立設した固定作業補助具４０を作製してもよい。この固定作業補助具４０の場合には、図１４に示すように、端子カバー１０３の背面側凹形状１０３ｂ内には側辺１１ｂと共にリブ４３が嵌り込んで位置決めすることができるとともに、延在部１２を別々に取り扱うことなく、その延在部４２の中央付近を把持して作業を行うことができる。
【産業上の利用可能性】
【００４８】
これまで本発明の一実施形態について説明したが、本発明は上述の実施形態に限定されず、その技術的思想の範囲内において種々異なる形態にて実施されてよいことは言うまでもない。
【図面の簡単な説明】
【００４９】
【図１】本発明に係る端子カバーの固定作業補助具の第１実施形態を示す図であり、その全体構成を示す平面図である。
【図２】その端子カバーを取り付ける電力量計を示す図であり、（ａ）はその正面図、（ｂ）はその右側面図である。
【図３】その電力量計の端子台を示す平面図である。
【図４】その端子カバーに対する雄ネジの状態を説明する一部断面側面図である。
【図５】その利用を説明する図であり、（ａ）はその折り曲げ状態を示す平面図、（ｂ）はその端子カバーの挟み込み途中の状態を示す平面図、（ｃ）はその端子カバーに対する位置決め保持の状態を示す平面図である。
【図６】その図５（ｃ）に示す状態を側方から見たときの一部断面側面図である。
【図７】本発明に係る端子カバーの固定作業補助具の第２実施形態を示す図であり、（ａ）はその全体構成を示す平面図、（ｂ）はその縦断面図である。
【図８】その端子カバーに対する位置決め保持の状態を側方から見たときの一部断面側面図である。
【図９】本発明に係る端子カバーの固定作業補助具の第３実施形態を示す図であり、はその全体構成を示す平面図である。
【図１０】その端子カバーを取り付ける電力量計を示す正面図である。
【図１１】その電力量計の端子台を示す平面図である。
【図１２】その端子カバーに対する位置決め保持の状態を示す平面図である。
【図１３】その他の態様の全体構成を示す平面図である。
【図１４】その端子カバーに対する位置決め保持の状態を示す平面図である。
【符号の説明】
【００５０】
１０、２０、３０、４０……固定作業補助具    １１……背面部    １２、４２……延在部    １３……折部    １５、１６……スリット    １５ａ、１６ａ、２６ａ……案内部    １５ｂ、１６ｂ、２６ｂ……保持穴    ２２……付勢部    ２７……テープ    ２８……隙間部材    ４３……リブ    １００……電力量計    １０２……端子台    １０３……端子カバー    １０３ａ……貫通穴    １０３ｂ……背面側凹形状    １０６、１０７……金属端子    １１１……雌ネジ穴    １１２……雄ネジ    １１２ａ……ヘッド部    １１２ｂ……ネジ部    １１２ｃ……軸部
【図１】
2007157549.tif 000003
【図２】
2007157549.tif 000004
【図３】
2007157549.tif 000005
【図４】
2007157549.tif 000006
【図５】
2007157549.tif 000007
【図６】
2007157549.tif 000008
【図７】
2007157549.tif 000009
【図８】
2007157549.tif 000010
【図９】
2007157549.tif 000011
【図１０】
2007157549.tif 000012
【図１１】
2007157549.tif 000013
【図１２】
2007157549.tif 000014
【図１３】
2007157549.tif 000015
【図１４】
2007157549.tif 000016